(57)【要約】【課題】  別部品である複数個の緩衝材を不要として、保管時や破棄時に嵩張らず、破棄後の焼却等の処理が環境に影響を与えないとともに、部品点数が増加しない梱包用箱を提供する。【解決手段】  底部開口２４を底部内フラップ１８，２２と底部外フラップ１６，２０とで閉じるとともに、上部開口２５を上部内フラップ１９，２３と上部外フラップ１７，２１とで閉じる段ボール箱（梱包用箱）１０であって、底部内フラップ１８，２２に、箱１０内に収納する製品３０の両端を保持する緩衝端部１８ｂ，２２ｂを一体形成したから、従来のような別部品である複数個の緩衝材が一切不要になる。したがって、段ボール箱１０の緩衝端部１８ｂ，２２ｂは、使用前の保管時や使用後の破棄時に、段ボール箱１０とともに偏平に折り畳めるので、嵩張らないとともに、破棄後の処理（焼却や埋め立て）が環境に影響を与えることもない。【選択図】  図１
2007062754.tif 000002
【特許請求の範囲】
【請求項１】
底部開口を底部内フラップと底部外フラップとで閉じるとともに、上部開口を上部内フラップと上部外フラップとで閉じる梱包用箱であって、
前記底部内フラップに、箱内に収納する製品の両端を保持する緩衝端部を一体形成したことを特徴とする梱包用箱。
【請求項２】
前記底部外フラップの内端部に、前記底部内フラップの長さに対応する部分を延長させて上方に折り曲げることで、立上がり端部を一体形成して、立上がり端部には窪みを形成する一方、前記底部内フラップに、前記底部外フラップの立上がり端部を貫通させるスリットを形成するとともに、底部内フラップの内端部を延長させて、底部外フラップの立上がり端部に沿って上方に折り曲げながら後方に折り曲げてなる緩衝端部を一体形成して、緩衝端部に、前記立上がり端部の窪みに嵌り込んで凹状となる緩衝凹部を一体形成したことを特徴とする請求項１に記載の梱包用箱。
【請求項３】
前記底部外フラップの内端部に、前記立上がり端部の間に位置する部分を延長させて上方に折り曲げることで、立上がり中間部を一体形成したことを特徴とする請求項２に記載の梱包用箱。
【発明の詳細な説明】
【技術分野】
【０００１】
本発明は、別部品である複数個の緩衝材が不要な梱包用箱に関する。
【背景技術】
【０００２】
従来、プリンター等の電子機器は、輸送や保管中に受ける衝撃を吸収するために、別部品である複数個の緩衝材を介して梱包用箱（段ボール箱）に収納されている（特許文献１参照）。
【特許文献１】特開平５−２５４５６７号公報
【発明の開示】
【発明が解決しようとする課題】
【０００３】
しかしながら、前記のような緩衝材は、発泡スチロール製や段ボール製であって、保管時や破棄時に嵩張るとともに、特に発泡スチロール製では、破棄後の処理（焼却や埋め立て）が環境に影響を与えるという問題がある。
【０００４】
また、緩衝材は、梱包用箱とは別部品であり、複数個が必要であるから、部品点数が増加してコスト高になるという問題がある。
【０００５】
さらに、梱包用箱と緩衝材とはワンセットとなっていて、緩衝材の１つが不良品であると、その梱包用箱全体が使用できないという問題がある。
【０００６】
本発明は、前記緩衝材に起因する問題を解消するためになされたもので、別部品である複数個の緩衝材を不要として、保管時や破棄時に嵩張らず、破棄後の焼却等の処理が環境に影響を与えないとともに、部品点数が増加しない梱包用箱を提供することを目的とするものである。
【課題を解決するための手段】
【０００７】
前記課題を解決するために、本発明は、底部開口を底部内フラップと底部外フラップとで閉じるとともに、上部開口を上部内フラップと上部外フラップとで閉じる梱包用箱であって、前記底部内フラップに、箱内に収納する製品の両端を保持する緩衝端部を一体形成したことを特徴とする梱包用箱を提供するものである。
【０００８】
請求項２の発明は、請求項１の発明において、前記底部外フラップの内端部に、前記底部内フラップの長さに対応する部分を延長させて上方に折り曲げることで、立上がり端部を一体形成して、立上がり端部には窪みを形成する一方、前記底部内フラップに、前記底部外フラップの立上がり端部を貫通させるスリットを形成するとともに、底部内フラップの内端部を延長させて、底部外フラップの立上がり端部に沿って上方に折り曲げながら後方に折り曲げてなる緩衝端部を一体形成して、緩衝端部に、前記立上がり端部の窪みに嵌り込んで凹状となる緩衝凹部を一体形成したことを特徴とするものである。
【０００９】
請求項３の発明は、請求項２の発明において、前記底部外フラップの内端部に、前記立上がり端部の間に位置する部分を延長させて上方に折り曲げることで、立上がり中間部を一体形成したことを特徴とするものである。
【発明の効果】
【００１０】
本発明によれば、梱包用箱の底部内フラップに緩衝端部を一体形成して、この緩衝端部で箱内に収納する製品の両端を保持するようにしたから、従来のような別部品である複数個の緩衝材が一切不要になる。したがって、梱包用箱が段ボール製や厚紙製であれば、緩衝端部は、使用前の保管時や使用後の破棄時に、梱包用箱とともに偏平に折り畳めるので、嵩張らないとともに、破棄後の処理（焼却や埋め立て）が環境に影響を与えることもない。また、緩衝端部は、梱包用箱に一体形成するから、部品点数が増加しないのでコスト安になるとともに、緩衝端部が不良になることが少なく、梱包用箱全体が使用できなくなる可能性がきわめて低くなる。
【００１１】
請求項２の発明によれば、底部内フラップの内端部を底部外フラップの立上がり端部に沿って上方に折曲させながら後方に折曲させてなる緩衝端部に、底部外フラップの立上がり端部の窪みに嵌り込んで凹状となる緩衝凹部を形成して、この緩衝凹部に製品の両端をそれぞれ嵌め込んで保持できるから、製品の長さ方向の移動は、底部外フラップの立上がり端部の垂直縁部で規制できるとともに、製品の底部方向の移動は、底部外フラップの立上がり端部の水平縁部で規制できるので、製品が移動しにくくなる。また、基本的には、底部外フラップと底部内フラップとに、立上がり端部や緩衝端部等を一体形成して、折り曲げるだけであるから、構造がきわめて簡単で製造も容易である。
【００１２】
請求項３の発明によれば、衝撃等で緩衝凹部が損壊したような場合、リブ状の立上がり中間部がクッションとなって製品が底部側に落ちるのを阻止できるので、製品にショックが加わりにくくなる。
【発明を実施するための最良の形態】
【００１３】
以下、本発明を実施するための最良の形態について、図面を参照しながら詳細に説明する。本発明に係る段ボール箱（梱包用箱）１０の展開および組み立て構造の理解を容易にするために、先に通常の段ボール箱１０´の展開および組み立て構造を説明する。
【００１４】
図５〜図７に示すように、通常の段ボール箱１０´は、図５の展開状態では、第１側面１１、第２側面１２、第３側面１３、第４側面１４が一体形成されて、第１側面１１には、のり代部１５と底部外フラップ１６と上部外フラップ１７とが一体形成され、第２側面１２には、底部内フラップ１８と上部内フラップ１９とが一体形成され、第３側面１３には、底部外フラップ２０と上部外フラップ２１とが一体形成され、第４側面１４には、底部内フラップ２２と上部内フラップ２３とが一体形成されている。
【００１５】
隣り合うフラップ１６〜２３の間には、切り込みａがそれぞれ形成されている。なお、一点鎖線ｂは、山折り線である。
【００１６】
そして、図６（ａ）のように、第１側面１１と第２側面１２と第３側面１３と第４側面１４とを山折り線ｂで内向きに山折りするとともに、山折り線ｂで内向きに山折りしたのり代部１５を第４側面１４の内面に接着剤で接着（金具で止着しても良い。）して、四角筒状に組み立てる。
【００１７】
ついで、図６（ｂ）のように、第２側面１２と第４側面１４の底部内フラップ１８，２２を山折り線ｂで内向きに山折りするとともに、第１側面１１と第３側面１３の底部外フラップ１６，２０を山折り線ｂで内向きに山折りして、底部開口２４を閉じた状態で、底部外フラップ１６，２０の内端部同士を接着テープ２６Ａで接着する。
【００１８】
そして、図７（ａ）のように、段ボール箱１０´が天地逆となるようにひっくり返し、上部開口２５から段ボール箱１０´内に製品（不図示）を収納した後、第２側面１２と第４側面１４の上部内フラップ１９，２３を山折り線ｂで内向きに山折りするとともに、第１側面１１と第３側面１３の上部外フラップ１７，２１を山折り線ｂで内向きに山折りして、上部開口２５を閉じた状態で、図７（ｂ）のように、上部外フラップ１７，２１の内端部同士を接着テープ２６Ｂで接着することで、梱包が完了するようになる。
【００１９】
このように、底部開口２４を４枚のフラップ（底部内フラップ１８，２２と底部外フラップ１６，２０）で閉じるとともに、上部開口２５を４枚のフラップ（上部内フラップ１９，２３と上部外フラップ１７，２１）で閉じるタイプは、Ａ式の段ボール箱（梱包用箱
）１０´と呼ばれている。
【００２０】
次に、本発明に係る段ボール箱１０の展開および組み立て構造を説明する。なお、先に説明した通常の段ボール箱１０´と同一構成の箇所は、同一の符号を付すこととする。
【００２１】
図１〜図４に示すように、本発明に係る段ボール箱１０は、図１の展開状態では、第１側面１１、第２側面１２、第３側面１３、第４側面１４が一体形成されて、第１側面１１には、のり代部１５と底部外フラップ１６と上部外フラップ１７とが一体形成され、第２側面１２には、底部内フラップ１８と上部内フラップ１９とが一体形成され、第３側面１３には、底部外フラップ２０と上部外フラップ２１とが一体形成され、第４側面１４には、底部内フラップ２２と上部内フラップ２３とが一体形成されている。
【００２２】
隣り合うフラップ１６〜２３の間には、切り込みａがそれぞれ形成されている。なお、一点鎖線ｂは、山折り線である。ここまでは、先に説明した通常の段ボール箱１０´と同一構成である。
【００２３】
第１側面１１と第３側面１３の底部外フラップ１６，２０の内端部には、第２側面１２と第４側面１４の底部内フラップ１８，２２の長さＬ１に対応する部分を、山折り線ｃを介して同じ長さＬ１で延長させた立上がり端部１６ａ，２０ａが一体形成されている。
【００２４】
立上がり端部１６ａ，２０ａは、山折り線ｃで予め内向きに山折りしておいて、第１側面１１と第３側面１３の底部外フラップ１６，２０を山折り線ｂで内向きに山折りして、底部開口２４を閉じた状態では〔図６（ｂ）参照〕、天地逆となるようにひっくり返した状態の図２（ａ）（ｂ）に詳細に示すように、段ボール箱１０の底部の幅方向Ｗの中央位置で、かつ長さ方向Ｖの両端位置で、立上がり端部１６ａ，２０ａ同士が対面して上方に立上がるようになる。この立上がり端部１６ａ，２０ａには、長さ方向Ｖで対向する窪み１６ｂ，２０ｂが形成されている。この窪み１６ｂ，２０ｂには、垂直縁部１６ｃ，２０ｃと水平縁部１６ｄ，２０ｄとが形成されることになる。
【００２５】
第１側面１１と第３側面１３の底部外フラップ１６，２０の内端部には、切り込みｄを挟んで、立上がり端部１６ａ，２０ａの間に位置する部分を、山折り線ｃを介して、立上がり端部１６ａ，２０ａの窪み１６ｂ，２０ｂの水平縁部１６ｄ，２０ｄとほぼ同じ長さＬ２で延長させた立上がり中間部１６ｅ，２０ｅが一体形成されている。
【００２６】
立上がり中間部１６ｅ，２０ｅは、山折り線ｃで予め内向きに山折りしておいて、第１側面１１と第３側面１３の底部外フラップ１６，２０を山折り線ｂで内向きに山折りして、底部開口２４を閉じた状態では〔図６（ｂ）参照〕、天地逆となるようにひっくり返した状態の図２（ａ）（ｂ）に詳細に示すように、段ボール箱１０の底部の幅方向Ｗの中央位置で、かつ長さ方向Ｖの中間位置で、立上がり中間部１６ｅ，２０ｅ同士が対面して上方に立上がるようになる。なお、立上がり中間部１６ｅ，２０ｅの上端部は、立上がり端部１６ａ，２０ａの窪み１６ｂ，２０ｂの水平縁部１６ｄ，２０ｄとほぼ同じ高さとなる。
【００２７】
図１の展開状態に戻って、第２側面１２と第４側面１４の底部内フラップ１８，２２には、前記底部外フラップ１６，２０の立上がり端部１６ａ，２０ａを貫通させるスリット１８ａ，２２ａが形成されている。
【００２８】
底部内フラップ１８，２２の内端部には、山折り線ｃを介して、第１側面１１と第３側面１３の底部外フラップ１６，２０の立上がり端部１６ａ，２０ａの長さＬ１の約２．５倍の長さＬ３で延長させた緩衝端部１８ｂ，２２ｂが一体形成されている。
【００２９】
緩衝端部１８ｂ，２２ｂは、長さＬ１に相当する２本の山折り線ｅ，ｆにより、底部外フラップ１６，２０の立上がり端部１６ａ，２０ａに沿って上方に折り曲げながら後方に折り曲げ、さらに下方に折り曲げる、つまり、内向きに逆Ｕ字状で山折りすることで、図３に示すように、長さＬ１の縦壁部１８ｃ，２２ｃと、長さＬ１の横壁部１８ｄ，２２ｄと、長さＬ１／２の立下がり壁部１８ｅ，２２ｅとが形成されるようになる。
【００３０】
緩衝端部１８ｂ，２２ｂには、山折り線ｅを境にして縦壁部１８ｃ，２２ｃと横壁部１８ｄ，２２ｄとに跨った左右位置に、長さＬ１に相当する長さでスリットｇが形成され、左右のスリットｇの端部同士の間に山折り線ｈが形成されている。なお、前記山折り線ｅは、左右のスリットｇの間の部分だけ谷折り線ｅ´となる。
【００３１】
そして、緩衝端部１８ｂ，２２ｂを２本の山折り線ｅ，ｆで内向きに逆Ｕ字状で山折りした状態で、左右のスリットｇの間を谷折り線ｅ´で谷折りすると、図４に示すように、左右のスリットｇの端部同士の間が山折り線ｈで山折りされて、底部外フラップ１６，２０の立上がり端部１６ａ，２０ａの窪み１６ｂ，２０ｂに嵌り込んで凹状となる緩衝凹部１８ｆ，２２ｆが一体形成されるようになる。
【００３２】
前記の段ボール箱１０を組み立てるには、従来の段ボール箱１０´の組み立て構造である図６（ａ）と同様に、第１側面１１と第２側面１２と第３側面１３と第４側面１４とを山折り線ｂで内向きに山折りするとともに、山折り線ｂで内向きに山折りしたのり代部１５を第４側面１４の内面に接着剤で接着（金具で止着しても良い。）して、四角筒状に組み立てる。
【００３３】
ついで、第２側面１２と第４側面１４の底部内フラップ１８，２２の緩衝端部１８ｂ，２２ｂを２本の山折り線ｅ，ｆで内向きに逆Ｕ字状で山折りするとともに、左右のスリットｇの間を谷折り線ｅ´で谷折りした状態で、図６（ｂ）と同様に、底部内フラップ１８，２２を山折り線ｂで内向きに山折りすると、図３のように、底部内フラップ１８，２２とともに緩衝端部１８ｂ，２２ｂが段ボール箱１０内に入るようになる。
【００３４】
また、第１側面１１と第３側面１３の底部外フラップ１６，２０の立上がり端部１６ａ，２０ａと立上がり中間部１６ｅ，２０ｅとを山折り線ｃで山折りした状態で、底部外フラップ１６，２０を山折り線ｂで内向きに山折りすると、図２のように、底部外フラップ１６，２０とともに立上がり端部１６ａ，２０ａと立上がり中間部１６ｅ，２０ｅとが段ボール箱１０内に入るようになる。
【００３５】
このとき、底部外フラップ１６，２０の立上がり端部１６ａ，２０ａを底部内フラップ１８，２２のスリット１８ａ，２２ａに貫通させて、底部外フラップ１６，２０を底部内フラップ１８，２２に重ねると、立上がり端部１６ａ，２０ａの窪み１６ｂ，２０ｂが緩衝端部１８ｂ，２２ｂの緩衝凹部１８ｆ，２２ｆに嵌り込むようになる。また、、底部外フラップ１６，２０の立上がり中間部１６ｅ，２０ｅが緩衝端部１８ｂ，２２ｂの間に位置するようになる。
【００３６】
このように、底部内フラップ１８，２２と底部外フラップ１６，２０とで底部開口２４を閉じた状態で、底部外フラップ１６，２０の内端部同士を接着テープ２６Ａで接着する。
【００３７】
そして、図７（ａ）と同様に、段ボール箱１０天地逆となるようにひっくり返し、上部開口２５から段ボール箱１０内に製品３０を収納する。このとき、製品３０は、図４のように、底部内フラップ１８の緩衝端部１８ｂの緩衝凹部１８ｆと、底部内フラップ２２の緩衝端部２２ｂの緩衝凹部２２ｆとに両端をそれぞれ嵌め込んで保持することができる。
この場合、緩衝凹部１８ｆ，２２ｆの幅を製品３０の両端の幅よりも僅かに狭く形成しておいて、製品３０の両端を無理嵌めできるようにしておけば、製品３０の両端が緩衝凹部１８ｆ，２２ｆから抜け外れにくくなる。なお、製品３０がショックで壊れ易いもの（例えば電子複写機の放電器等）であれば、柔軟な合成樹脂製の緩衝材〔気泡性緩衝材…エアーキャップ〕で包んだ状態で、緩衝凹部１８ｆ，２２ｆに両端をそれぞれ嵌め込んで保持するようにすれば良い。
【００３８】
その後、第２側面１２と第４側面１４の上部内フラップ１９，２３を山折り線ｂで内向きに山折りするとともに、第１側面１１と第３側面１３の上部外フラップ１７，２１を山折り線ｂで内向きに山折りして、上部開口２５を閉じた状態で、図７（ｂ）と同様に、上部外フラップ１７，２１の内端部同士を接着テープ２６Ｂで接着することで、梱包が完了するようになる。
【００３９】
なお、前記組み立て手順は例示であって、組み立て効率化等のために、その他の手順を採用することも可能である。
【００４０】
前記のような段ボール箱１０であれば、底部内フラップ１８，２２に緩衝端部１８ｂ，２２ｂを一体形成して、この緩衝端部１８ｂ，２２ｂで箱内に収納する製品３０の両端を保持するようにしたから、従来のような別部品である複数個の緩衝材が一切不要になる。
【００４１】
したがって、この段ボール箱１０であれば、緩衝端部１８ｂ，２２ｂは、使用前の保管時や使用後の破棄時に、段ボール箱１０とともに偏平に折り畳めるので、嵩張らないとともに、破棄後の処理（焼却や埋め立て）が環境に影響を与えることもない。
【００４２】
また、緩衝端部１８ｂ，２２ｂは、段ボール箱１０に一体形成するから、部品点数が増加しないのでコスト安になるとともに、緩衝端部１８ｂ，２２ｂが不良になることが少なく、段ボール箱１０全体が使用できなくなる可能性がきわめて低くなる。
【００４３】
さらに、底部内フラップ１８，２２の内端部を底部外フラップ１６，２０の立上がり端部１６ａ，２０ａに沿って上方に折曲させながら後方に折曲させてなる緩衝端部１８ｂ，２２ｂに、底部外フラップ１６，２０の立上がり端部１６ａ，２０ａの窪み１６ｂ，２０ｂに嵌り込んで凹状となる緩衝凹部１８ｆ，２２ｆを形成して、この緩衝凹部１８ｆ，２２ｆに製品３０の両端をそれぞれ嵌め込んで保持できるから、製品３０の長さ方向Ｖの移動は、底部外フラップ１６，２０の立上がり端部１６ａ，２０ａの垂直縁部１６ｃ，２０ｃで規制できるとともに、製品３０の底部方向の移動は、底部外フラップ１６，２０の立上がり端部１６ａ，２０ａの水平縁部１６ｄ，２０ｄで規制できるので、製品３０が移動しにくくなる。
【００４４】
また、基本的には、底部外フラップ１６，２０と底部内フラップ１８，２２とに、立上がり端部１６ａ，２０ａや緩衝端部１８ｂ，２２ｂ等を一体形成して、折り曲げるだけであるから、構造がきわめて簡単で製造も容易である。
【００４５】
さらに、底部外フラップ１６，２０の内端部に、立上がり中間部１６ｅ，２０ｅを一体形成したから、衝撃等で緩衝凹部１８ｆ，２２ｆが損壊したような場合、リブ状の立上がり中間部１６ｅ，２０ｅがクッションとなって製品３０が底部側に落ちるのを阻止できるので、製品３０にショックが加わりにくくなる。
【００４６】
前記実施形態は、段ボール紙を用いた段ボール箱１０であったが、厚紙を用いた箱、プラスチックシートを用いた箱であっても構わない。
【図面の簡単な説明】
【００４７】
【図１】本発明の実施形態に係る段ボール箱の展開図である。
【図２】（ａ）は底部外フラップの立上がり端部を示す部組み立て状態の斜視図、（ｂ）は（ａ）の要部拡大図である。
【図３】（ａ）は底部内フラップの緩衝端部を示す組み立て状態の斜視図、（ｂ）は（ａ）の要部拡大図である。
【図４】図１の段ボール箱であり、（ａ）は平面断面図、（ｂ）は側面断面図である。
【図５】通常の段ボール箱の展開時図である。
【図６】（ａ）（ｂ）は、通常の段ボール箱の組み立て手順の前半斜視図である。
【図７】（ａ）（ｂ）は、通常の段ボール箱の組み立て手順の後半斜視図である。
【符号の説明】
【００４８】
１０    段ボール箱（梱包用箱）
１１    第１側面
１２    第２側面
１３    第３側面
１４    第４側面
１６，２０  底部外フラップ
１６ａ，２０ａ  立上がり端部
１６ｂ，２０ｂ  窪み
１６ｃ，２０ｃ  垂直壁部
１６ｄ，２０ｄ  水平壁部
１６ｅ，２０ｅ  立上がり中間部
１７，２１  上部外フラップ
１８，２２  底部内フラップ
１８ａ，２２ａ  スリット
１８ｂ，２２ｂ  緩衝端部
１８ｆ，２２ｆ  緩衝凹部
１９，２３  上部外フラップ
２４    底部開口
２５    上部開口
【図１】
2007062754.tif 000003
【図２】
2007062754.tif 000004
【図３】
2007062754.tif 000005
【図４】
2007062754.tif 000006
【図５】
2007062754.tif 000007
【図６】
2007062754.tif 000008
【図７】
2007062754.tif 000009